(57)【要約】【課題】日照角度の変化によって表情が大きく変わる建築物の外壁構造、外壁パネル、外壁パネル作製用受け台を提供する。【解決手段】外壁構造は、外壁面１０が、谷折り１１と山折り１２とが交互に複数回繰り返され、それぞれの折り線が水平方向に延びるジグザグ面１３を有している。外壁パネル２０は、併設された複数本の断面台形の棒体３０と、複数本の棒体３０を、棒体の一面３１側で連結する連結体４０とを備え、複数本の棒体３０は、棒体の一面３１が同一平面２１上に配置され、相隣接する棒体の平行面３３，３４同士が接合されて併設されている。受け台５０は、併設される複数本の棒体３０が配置される受部５１を有し、受部５１は、棒体３０の一面３１を上面としたとき、複数の棒体３０の下面３４，３５と嵌まり合うジグザグ面５３を有している。【選択図】図２
2018193668.tif 000002
【特許請求の範囲】
【請求項１】
外壁面が、谷折りと山折りとが交互に複数回繰り返され、それぞれの折り線が水平方向に延びるジグザグ面を有していることを特徴とする建築物の外壁構造。
【請求項２】
請求項１において、前記谷折りと山折りは、いずれもその折り角が直角であることを特徴とする建築物の外壁構造。
【請求項３】
請求項１または２記載の建築物の外壁構造に用いる外壁パネルであって、
併設された複数本の断面台形の棒体と、これら複数本の棒体を、該棒体の一面側で連結する連結体とを備え、
前記複数本の棒体は、該棒体の一面が同一平面上に配置され、かつ相隣接する棒体の平行面同士が接合されて併設されていることを特徴とする外壁パネル。
【請求項４】
請求項３記載の外壁パネルの作製に用いる受け台であって、
前記併設される複数本の棒体が配置される受部を有し、
この受部は、前記棒体の一面を上面としたとき、複数の棒体の下面と嵌まり合うジグザグ面を有していることを特徴とする外壁パネル作製用受け台。
【発明の詳細な説明】
【技術分野】
【０００１】
本発明は、建築物の外壁構造、外壁パネル、および外壁パネル作製用受け台に関するものである。
【背景技術】
【０００２】
例えば特許文献１に見られるように、一般に建築物の外壁は平坦な面として構成され、平滑な表情をしている。時間経過による日照角度の変化によって、外壁面の表情は多少は変化するものの、その変化は平坦的な変化でしかない。
【先行技術文献】
【特許文献】
【０００３】
【特許文献１】特開2017-008530号公報
【発明の概要】
【発明が解決しようとする課題】
【０００４】
本発明が解決しようとする課題は、日照角度の変化によって表情が大きく変わる建築物の外壁構造を提供することである。また、その外壁構造に用いる外壁パネルを提供し、さらに、その外壁パネルの作製に用いる受け台を提供することである。
【課題を解決するための手段】
【０００５】
上記課題を解決するために本発明の建築物の外壁構造は、
外壁面が、谷折りと山折りとが交互に複数回繰り返されそれぞれの折り線が水平方向に延びるジグザグ面を有していることを特徴とする。
【０００６】
この建築物の外壁構造によれば、外壁面が、谷折りと山折りとが交互に複数回繰り返されそれぞれの折り線が水平方向に延びるジグザグ面を有しているので、そのジグザグ面によって、上向き面と下向き面とが壁面縦方向に連続して形成される。
【０００７】
上向き面と下向き面とでは、斜め上方から照射される太陽光の単位面積当たりの受光量が大きく異なるから、外壁面全体としてみれば、縞模様が現れることとなる。
つまり、外壁面を構成する素材が同一素材、同一色であったとしても縞模様が現れることとなる。
また、上向き面と下向き面との、太陽光の単位面積当たりの受光量は日照角度の変化に応じて大きく変わるから、外壁面に現れる縞模様の濃淡の様子も大きく変わることとなる。
したがって、この建築物の外壁構造によれば、日照角度の変化によって表情を大きく変えることが可能となる。
【０００８】
この建築物の外壁構造においては、
前記谷折りと山折りは、いずれもその折り角を直角とすることができる。
このように構成すると、外壁面を木材で構成する場合にジグザグ面を容易に形成することが可能となる。
【０００９】
また、上記課題を解決するために本発明の外壁パネルは、
前記建築物の外壁構造に用いる外壁パネルであって、
併設された複数本の断面台形の棒体と、これら複数本の棒体を、該棒体の一面側で連結する連結体とを備え、
前記複数本の棒体は、該棒体の一面が同一平面上に配置され、かつ相隣接する棒体の平行面同士が接合されて併設されていることを特徴とする。
【００１０】
この外壁パネルによれば、この外壁パネルを予め複数枚構成しておくことによって、前記建築物の外壁構造を容易に構成することができる。
例えば、この外壁パネルを工場にて予め必要枚数用意しておき、これを外壁材として利用することで、前記建築物の外壁構造を容易に構成することができる。
しかも、前記複数本の棒体は、相隣接する棒体の平行面同士が接合されて併設されているから、棒体同士の間から外壁内に雨水等が侵入しにくくすることができる。
【００１１】
また、上記課題を解決するために本発明の外壁パネル作製用受け台は、
前記外壁パネルの作製に用いる受け台であって、
前記併設される複数本の棒体が配置される受部を有し、
この受部は、前記棒体の一面を上面としたとき、複数の棒体の下面と嵌まり合うジグザグ面を有していることを特徴とする。
【００１２】
この外壁パネル作製用受け台によれば、前記ジグザグ面を有する受部に複数本の棒体をセットし、その上面において棒体同士を連結体で連結することができるので、前記外壁パネルを効率的に作製することができる。
【図面の簡単な説明】
【００１３】
【図１】本発明に係る建築物の外壁構造の実施の形態を示す図で、（ａ）は部分省略正面図、（ｂ）は図（ａ）におけるｂ−ｂ断面図。
【図２】作用説明図で、（ａ）は部分省略正面図、（ｂ）は左側面図。
【図３】作用説明部分省略正面図。
【図４】本発明に係る外壁パネルの実施の形態を示す図で、（ａ）は平面図、（ｂ）は正面図、（ｃ）は左側面図、（ｄ）は右側面図、（ｅ）は図（ｂ）におけるｅ−ｅ断面図、（ｆ）は底面図、（ｇ）は背面図。
【図５】（ａ）（ｂ）はそれぞれ棒体の作製例を示す断面図。
【図６】（ａ）〜（ｄ）は本発明に係る外壁パネル作製用受け台の実施の形態および、その受け台を用いた外壁パネルの作成工程例を示す図。
【図７】変形例を示す図。
【図８】他の変形例を示す図。
【発明を実施するための形態】
【００１４】
以下、本発明に係る建築物の外壁構造、外壁パネル、および外壁パネル作製用受け台の実施の形態について図面を参照して説明する。なお、各図において、同一部分ないし相当する部分には、同一の符号を付してある。
【００１５】
図１に示すように、この実施の形態の建築物の外壁構造１は、外壁面１０が、谷折り１１と山折り１２とが交互に複数回繰り返されそれぞれの折り線１１，１２が水平方向（矢印Ｈ方向）に延びるジグザグ面１３を有している。
【００１６】
この建築物の外壁構造１によれば、外壁面１０が、谷折り１１と山折り１２とが交互に複数回繰り返されそれぞれの折り線１１，１２が水平方向に延びるジグザグ面１３を有しているので、そのジグザグ面１３によって、上向き面１４と下向き面１５とが壁面縦方向（矢印Ｖ方向）に連続して形成される。
【００１７】
図２（ｂ）に示すように、上向き面１４と下向き面１５とでは、斜め上方から照射される太陽光ＳＬの単位面積当たりの受光量が大きく異なるから、外壁面１０全体としてみれば、図２（ａ）および図３に示すように、縞模様が現れることとなる。
つまり、外壁面１０を構成する素材が同一素材、同一色であったとしても縞模様が現れることとなる。
【００１８】
また、上向き面１４と下向き面１５との、太陽光ＳＬの単位面積当たりの受光量は日照角度θ（図２（ｂ）参照）の変化に応じて大きく変わるから、外壁面１０に現れる縞模様の濃淡の様子も大きく変わることとなる。
したがって、この建築物の外壁構造１によれば、日の出から日没までの日照角度θの変化によって表情を大きく変えることが可能となる。
【００１９】
なお、図２（ａ）および図３においては、図面作成の都合上、陰部をクロスハッチングで描いているが、実際には、通常の自然界で見られる影部として現れる。
【００２０】
図２（ｂ）に示すように、この実施の形態では、谷折り１１と山折り１２は、いずれもその折り角αが直角となっている。
このように構成すると、外壁面１０を木材で構成する場合にジグザグ面１３を容易に形成することが可能となる。
【００２１】
図４は、上記のような建築物の外壁構造１を構築するのに適した外壁パネルの実施の形態を示す図である。
この実施の形態の外壁パネル２０は、併設された複数本の断面台形の棒体３０と、これら複数本の棒体３０を、該棒体３０の一面３１側で連結する連結体４０とを備えている。
複数本の棒体３０は、該棒体３０の一面３１が同一平面２１上に配置され、かつ相隣接する棒体３０の平行面３３，３４同士が接合されて併設されている。
【００２２】
この外壁パネル２０によれば、この外壁パネル２０を予め複数枚構成しておくことによって、前述したような建築物の外壁構造１（図１参照）を容易に構成することができる。
例えば、この外壁パネル２０を工場にて予め必要枚数用意しておき、これを外壁材として利用することで、前記建築物の外壁構造を容易に構成することができる。
【００２３】
しかも、複数本の棒体３０は、相隣接する棒体３０の平行面３３，３４同士が接合されて併設されているから、棒体３０同士の間Ｃ（図２（ｂ）参照）から外壁内に雨水等が侵入しにくくすることができる。
【００２４】
なお、図１において、２は板状断熱材、３は壁躯体である。
図１は、板状断熱材２の外面側に外壁パネル２０を３枚上下方向に設けた状態を示している。
【００２５】
棒体３０は、例えば図５に示すように、断面矩形で、長さＬ１（図４（ｂ）参照）の木製角材を、長手方向に沿って切断角度β＝４５の切断面３２で切断することで２本同時に作製することができる。切断面３２は、前述した一面３１を構成する。
【００２６】
図６は上記のような外壁パネル２０を作成するのに適した外壁パネル作製用受け台（単に受け台ともいう）の実施の形態、およびその受け台を用いた作成方法の一例を示す図である。
【００２７】
この実施の形態の受け台５０は、併設される複数本の棒体３０が配置される受部５１を有している。
この受部５１は、前記棒体３０の一面３１を上面としたとき、複数の棒体３０の下面３４，３５と嵌まり合うジグザグ面５３を有している。
【００２８】
この受け台５０によれば、受け面であるジグザグ面５３を有する受部５１に複数本の仕上げ材としての棒体３０をセットし、その上面３１において棒体３０同士を連結体４０で連結することができるので、外壁パネル２０を効率的に作製することができる。
【００２９】
具体的には例えば次のようにして外壁パネル２０を作製することができる。
（１）
図６（ａ）（ｂ）に示すように、受け台５０の受部５１に、所定本数（図示のものは７本）の棒体３０をセットする。この際、一面３１を上面とし、複数の一面３１で平面２１を形成するようにセットする。
（２）
図６（ｂ）（ｃ）に示すように、所定本数の棒体３０の上面（平面２１）に連結体４０（例えば木製角材）を当て、釘またはビス２５を打ち付けて連結体４０で所定本数の棒体３０を連結する（図４参照）。
（３）
図６（ｄ）に示すように、受け台５０から外壁パネル２０を取り外す。
【００３０】
以上、本発明の実施の形態について説明したが、本発明は上記の実施の形態に限定されるものではなく、本発明の要旨の範囲内において適宜変形実施可能である。
例えば、
図１に示すような外壁構造は、必ずしも外壁パネル２０を用いて構成しなくても良い。壁面に対し、例えば、前述した棒体３０を順次水平方向に設けることによっても構成することができる。
棒体３０を作製する木製角材の寸法は適宜選定できる。例えば長さＬ１は１８００ｍｍとし、断面寸法は、幅１０５ｍｍ、高さ４５ｍｍとする。
図７に示すように、谷折り１１と山折り１２は、その折り角を直角以下とすることもできる。
この発明の外壁構造は、上記のような断面台形の棒体３０によらず、例えば図８に示すように、断面矩形の棒体３９を順次水平方向に設けることによっても構成することができる。なお、図８において４は合板（又は外壁仕上げ下地板）、５は胴縁（胴縁ににより形成された通気層）である。
【符号の説明】
【００３１】
１：    外壁構造
１０：    外壁面
１１：    谷折り
１２：    山折り
１３：    ジグザグ面
２０：    外壁パネル
２１：    同一平面
３０：    棒体
３１：    一面
３３，３４：  平行面
４０：    連結体
５０：    受け台
５１：    受部
５３：    ジグザグ面
【図１】
2018193668.tif 000003
【図２】
2018193668.tif 000004
【図３】
2018193668.tif 000005
【図４】
2018193668.tif 000006
【図５】
2018193668.tif 000007
【図６】
2018193668.tif 000008
【図７】
2018193668.tif 000009
【図８】
2018193668.tif 000010